(57)【要約】【課題】切断作業の前に工事の対象となるマンホール蓋をわざわざ外す必要がなく、工事期間の短縮及び作業の効率化を可能とする路面用カッターの切断円芯出し装置の提供。【解決手段】マンホールの周囲をマンホール蓋の周縁部に沿って円形に切断する際に用いる路面用カッター装置の旋回運動の支点となる支軸１を具備する切断円芯出し装置であって、マンホール蓋２よりも小径の円板３の中心に前記支軸１を起立して設け、マンホール蓋２の周縁部に欠切された複数の切り欠き凹処４に掛止可能な掛止部５を有する複数のアーム６を前記円板３上に放射状を形成して複数周設し、前記アーム６は少なくとも一つが伸縮・締結機能を有する調節部８を備えて成ることを特徴とする。【選択図】　　　　図１
2004044127.tif 000002
【特許請求の範囲】
【請求項１】
電力、電信、ガス、上下水道等のマンホールの周囲をマンホール蓋の周縁部に沿って円形に切断する際に用いる路面用カッター装置の旋回運動の支点となる支軸を具備する切断円芯出し装置であって、マンホール蓋よりも小径の円板の中心に前記支軸を起立して設け、マンホール蓋の周縁部に欠切された複数の切り欠き凹処に掛止可能な掛止部を有するアームを前記円板上に放射状を形成して複数周設し、前記アームは少なくとも一つが伸縮・締結機能を有する調節部を備えて成ることを特徴とする路面用カッターの切断円芯出し装置。
【請求項２】
請求項１記載の路面用カッターの切断円芯出し装置において、伸縮・締結機能を有する調節部は、ボルト部とナット部を組み合わせ、前記ナット部をアームの一端に直交して設けた把持部に固設し、前記ナット部に螺合する前記ボルト部を回動して前記アームをスライドして長さを調節し、切断円芯出しを可能な構成としたことを特徴とする路面用カッターの切断円芯出し装置。
【請求項３】
請求項１記載の路面用カッターの切断円芯出し装置において、伸縮・締結機能を有する調節部は、前記アームの所望個所に締結部材を介してスライド可能に長穴を設け、前記アームを所定長さスライドして前記締結部材で固定し、切断円芯出しを可能な構成としたことを特徴とする路面用カッターの切断円芯出し装置。
【請求項４】
電力、電信、ガス、上下水道等のマンホールの周囲をマンホール蓋の周縁部に沿って円形に切断する際に用いる路面用カッター装置の旋回運動の支点となる支軸を具備する切断円芯出し装置であって、マンホール蓋よりも小径の円板の中心に前記支軸を起立して設け、前記円板の周縁部に螺子部を有する軸を複数等ピッチで垂設し、この軸に緩嵌して揺動・回動自在とする穴を一端に穿設すると共に他端にマンホール蓋の周縁部に欠切された切り欠き凹処に掛止可能な掛止部を有するアームを前記円板上に放射状を形成して複数周設し、前記円板と前記アームとでリンク機構を形成し、前記円板を所望角度回して切断円の芯出し調整後、回り止め固定用ナット部を前記軸の螺子部に螺合して前記アームを固定し切断円の支軸を固定する構成としたことを特徴とする路面用カッターの切断円芯出し装置。
【請求項５】
電力、電信、ガス、上下水道等のマンホールの周囲をマンホール蓋の周縁部に沿って円形に切断する際に用いる路面用カッター装置の旋回運動の支点となる支軸を具備する切断円芯出し装置であって、マンホール蓋よりも小径の円板の中心に前記支軸を起立して設け、マンホール蓋の周縁部近傍外周路面に固定用釘を打設可能に前記円板の周縁部に複数のアームを等ピッチで放射状に周設したことを特徴とする路面用カッターの切断円芯出し装置。
【発明の詳細な説明】
【０００１】
【発明の属する技術分野】
この発明は、路面用カッターの切断円芯出し装置に関する。
【０００２】
【従来の技術】
従来、路面に設けられたマンホール蓋の取換え工事な場合、先ず、工事の対象となるマンホール蓋を外し、予め用意した前記マンホール蓋と同一サイズの回転の支軸を備えた円板を嵌め込んで芯出し装置として使用していた。
【０００３】
【発明が解決しようとする課題】
然しながら、上述の従来例では、工事に手間が掛り、ムダが多く、工事期間の短縮を図る上で、他の対策が望まれているのが実状である。
【０００４】
この発明は、上述の点に着目して成されたもので、切断作業の前に工事の対象となるマンホール蓋をわざわざ外す必要がなく、工事期間の短縮及び作業の効率化を可能とする路面用カッターの切断円芯出し装置を提供することを目的とする。
【０００５】
【課題を解決するための手段】
この発明は、下記構成を備えることにより上記課題を解決できるものである。
【０００６】
（１）電力、電信、ガス、上下水道等のマンホールの周囲をマンホール蓋の周縁部に沿って円形に切断する際に用いる路面用カッター装置の旋回運動の支点となる支軸を具備する切断円芯出し装置であって、マンホール蓋よりも小径の円板の中心に前記支軸を起立して設け、マンホール蓋の周縁部に欠切された複数の切り欠き凹処に掛止可能な掛止部を有する複数のアームを前記円板上に放射状を形成して複数周設し、前記アームは少なくとも一つが伸縮・締結機能を有する調節部を備えて成る路面用カッターの切断円芯出し装置。
【０００７】
（２）前項（１）記載の路面用カッターの切断円芯出し装置において、伸縮・締結機能を有する調節部は、ボルト部とナット部を組み合わせ、前記ナット部をアームの一端に直交して設けた把持部に固設し、前記ナット部に螺合する前記ボルト部を回動して前記アームをスライドして長さを調節し、切断円芯出しを可能な構成とした路面用カッターの切断円芯出し装置。
【０００８】
（３）前項（１）記載の路面用カッターの切断円芯出し装置において、伸縮・締結機能を有する調節部は、前記アームの所望個所に締結部材を介してスライド可能に長穴を設け、前記アームを所定長さスライドして前記締結部材で固定し、切断円芯出しを可能な構成とした路面用カッターの切断円芯出し装置。
【０００９】
（４）電力、電信、ガス、上下水道等のマンホールの周囲をマンホール蓋の周縁部に沿って円形に切断する際に用いる路面用カッター装置の旋回運動の支点となる支軸を具備する切断円芯出し装置であって、マンホール蓋よりも小径の円板の中心に前記支軸を起立して設け、前記円板の周縁部に螺子部を有する軸を複数等ピッチで垂設し、この軸に緩嵌して揺動・回動自在とする穴を一端に穿設すると共に他端にマンホール蓋の周縁部に欠切された切り欠き凹処に掛止可能な掛止部を有するアームを前記円板上に放射状を形成して複数周設し、前記円板と前記アームとでリンク機構を形成し、前記円板を所望角度回して切断円の芯出し調整後、回り止め固定用ナット部を用いて前記アームを固定し、切断円の支軸を固定する構成とした路面用カッターの切断円芯出し装置。
【００１０】
（５）電力、電信、ガス、上下水道等のマンホールの周囲をマンホール蓋の周縁部に沿って円形に切断する際に用いる路面用カッター装置の旋回運動の支点となる支軸を具備する切断円芯出し装置であって、マンホール蓋よりも小径の円板の中心に前記支軸を起立して設け、マンホール蓋の周縁部近傍外周路面に固定用釘を打設可能に前記円板の周縁部に複数のアームを等ピッチで放射状に周設した路面用カッターの切断円芯出し装置。
【００１１】
【発明の実施の形態】
以下、本発明に係る路面用カッターの切断円芯出し装置の実施の形態を説明する。
【００１２】
図１は、実施例１における芯出し装置の調節部をボルト部とナット部組合わせの構成とした場合の説明図であり、（ａ）は平面図、（ｂ）は一部破断側面図、（ｃ）は部分拡大側面図、図２は、実施例２における芯出し装置の調節部を長穴と締結部材組合わせの構成とした場合の説明図であり、（ａ）は部分拡大側面図、（ｂ）はアームの形状を示す斜視図、図３は、本発明に係る切断円芯出し装置使用時の路面用カッターとの相互作用状況を示す説明図、（ａ）は平面図、（ｂ）は模式的概略側面図、図４は、実施例３における芯出し装置の調節部を円板とアームによるリンク機構を応用した場合の説明図であり、（ａ）は平面図、（ｂ）は部分拡大側面図、図５は、実施例４におけるアームの先端所定位置に路面に打設可能な釘を用いた場合の構成例を示す平面図、図６は、アームの先端に設けた掛止部を幅の比較的狭い鉤状部材とした場合の説明図、（ａ）は平面図、（ｂ）は側面図、図７は、アームの先端に設けた掛止部を幅の比較的広い鉤状部材とした場合の説明図、（ａ）は平面図、（ｂ）は側面図、図８は、アームの先端に設けた掛止部を鍔状凸部を有する円筒形部材とした場合の説明図、（ａ）は平面図、（ｂ）は側面図である。
【００１３】
（実施例１）
以下実施例１について、図面を参照して説明する。
【００１４】
マンホール蓋取換え工事等において、電力、電信、ガス、上下水道等のマンホールの周囲をマンホール蓋の周縁部に沿って円形に切断する際に、路面用カッター装置を旋回させて円形切断を行うことになるが、最初に行う作業として、切断円に沿ってカッター装置を旋回させるための支軸を設定する必要があり、本実施例では、図１（ａ）、（ｂ）、（ｃ）に示すように、マンホール蓋２よりも小径の円板３の中心に支軸１を起立して設け、マンホール蓋２の周縁部２ａに欠切された複数の切り欠き凹処４に掛止可能な掛止部５を有する複数のアーム６、６″を前記円板３上に放射状を形成して複数周設し、前記アームは少なくとも一つ、例えば、図中、アーム６が伸縮・締結機能を有する調節部８を備え、伸縮・締結機能を有する調節部８は、ボルト部８ａとナット部８ｃを組み合わせ、前記ナット部８ｃをアーム６の一端に直交して設けた把持部６ａに固設し、前記ナット部８ｃに螺合する前記ボルト部８ａを回動して前記アーム６をスライドして長さを調節し、切断円芯出しを可能な構成としてある。
【００１５】
作用について、以下に説明する。
【００１６】
工事対象となるマンホール蓋２の周縁部２ａに設けられた切り欠き凹処４が、例えば、３個所であれば、マンホール蓋２よりも小径の円板３の中心に支軸１を起立して設け、この円板３を、前記マンホール蓋２上に載置し、前記切り欠き凹処４の位置に合わせてアーム６の掛止部５を掛止し、このとき調節部８を備えたアームが一つであれば、調節部のないアーム６″を先に掛止し、その後で調節部８のあるアーム６を、ボルトの頭８ａ部分を回すことで把持部６ａに固定されたナット８ｃを介して螺子部８ａ′が回動して段付き円筒部８ａ″を基点としてアーム６が軸方向に沿って摺動し、前記アーム６の長さを調節して切断円の芯出しが可能である。尚、この時、ボルト螺子部８ａ′先端に設けられた前記段付き円筒部８ａ″の作用によりボルトの頭８ａを回すことでアーム６を伸縮でき、右螺子が螺刻されてある場合では、右に回すことでアーム６の長さは伸び、左に回せばアーム６の長さは縮まり、緊張した状態で支軸１を固定することが出来る。
【００１７】
（実施例２）
実施例２は、図２（ａ）、（ｂ）に示すように、アーム６′の所望個所に締結部材９を介してスライド可能に長穴６ｂ′を設け、前記アーム６′を所定長さスライドして前記締結部材９で固定し、切断円芯出しを可能な構成としてある。
【００１８】
作用について説明すれば、実施例１の場合と同様に、工事対象となるマンホール蓋２の周縁部２ａに設けられた切り欠き凹処４が、例えば、３個所であって、且つ調節部を有するアーム６′が一つで他が固定アームであれば、固定アームを先に前記切り欠き凹処４に掛止し、次いで調節部を有するアーム６′の掛止部５を前記切り欠き凹処４に掛止して把持部６ａ′を把持し、長穴６ｂ′に沿って摺動して所定長さにセットし、締結部材９を構成するナット９ｂをスプリングワッシャ９ｃ、及びワッシャ９ｄを介して螺子部９ａに螺合して締結し、アーム全てが緊張した状態で支軸１を固定することが出来る。尚、前記螺子部９ａの頭９ｅは前記円板３の所定位置に、図示するように、例えば皿状の頭部を植え込んで設定し、所謂植え込みボルトとしておけば良い。
【００１９】
（実施例３）
図４（ａ）、（ｂ）を参照して、以下実施例３について説明する。
【００２０】
図４（ａ）、（ｂ）に示すように、実施例１及び２の場合と同様に、マンホール蓋２よりも小径の円板３′の中心に支軸１を起立して設け、前記円板３′の周縁部に螺子部を有する軸１０ａを複数等ピッチで起立して設け、この軸１０ａに緩嵌して揺動・回動自在とする穴７ａを一端に穿設すると共に他端にマンホール蓋２の周縁部２ａに欠切された切り欠き凹処４に掛止可能な掛止部１１を有するアーム７を前記円板３′上に放射状を形成して複数周設し、前記円板３′と前記アーム７とでリンク機構を形成し、前記円板３′を所望角度回して切断円の芯出し調整後、回り止め固定用ナット部１０を用いて前記アーム７を固定し、芯出し装置の支軸１を固定する構成としてある。
【００２１】
尚、実施例２における掛止部１１は、鍔状凸部を有する円筒形とし（図４（ａ）、（ｂ）参照）、マンホール蓋２の周縁部２ａに欠切された切り欠き凹処４に掛止した状態で前記円板３′を回転する際のリンク機構として動作し易く、且つ、掛止部１１の形状を鍔状凸部を有する円筒形としたことにより、切り欠き凹処４から外れにくく、且つリンクの回動部として引っかかることを防いでいる。
【００２２】
実施例３の作用について説明すれば、図４に示すように、先ず、アーム７の先端に設けられた鍔状凸部を有する円筒形の掛止部１１を所定の切り欠き凹処４に掛止し、円板３′を矢印Ｙ方向にアーム７が緊張状態になるまで回し、次いで回り止め固定用ナット部（蝶ナット）１０を用いて固定することで切断円の支軸１を固定することが出来る。
【００２３】
図４において、締結部材を構成する軸（ボルト）１０ａと緩嵌係合するアーム７の穴７ａを長穴とすることにより、更に着脱が容易となる。
【００２４】
また、図４（ｂ）に示すように、蝶ナット１０と螺合するボルト１０ａの頭を皿状として、植え込みボルトとしてある。
【００２５】
（実施例４）
図５を参照して、実施例４について以下に説明する。
【００２６】
前述の実施例の場合と同様に、マンホール蓋２よりも小径の円板３″の中心に前記支軸１を起立して設け、マンホール蓋２の周縁部近傍外周路面に固定用釘１３を打設可能に前記円板３″の周縁部に複数のアームを等ピッチで放射状に周設した場合の例である。
【００２７】
実施例４の作用について説明する。
【００２８】
図５に示すように、マンホール蓋２よりも小径の円板３″の中心に前記支軸１を起立して設け、且つ前記円板３″の周縁部に複数のアーム１２を等ピッチで放射状に周設し、この円板３″をマンホール蓋２上に載置し、この時、放射状に周設したアーム１２の先端がマンホール蓋２の周縁部近傍外周路面、且つ切断円の位置よりも内側に位置するように配設し（図５参照）、固定用釘１３を打設して切断円の支軸１を固定することが出来る。
【００２９】
次に、図３（ａ）、（ｂ）を用いて切断円芯出し装置使用時の路面用カッターとの相互作用状況を説明する。
【００３０】
図３（ａ）、（ｂ）において、切断円芯出し装置の円板３をマンホール蓋２上に載置した時に、円板３、アーム６、６″と装置の基体Ｂに設けられた車輪ｒ１、ｒ２、ｒ３、ｒ４の旋回時の移動軌跡とは干渉しないことを示したもので、カッターブレードＣｂで切断される切断円も干渉されることはない。
【００３１】
即ち、本発明に係る路面用カッターの切断円芯出し装置は、切断作業時において、何ら干渉し合うことなく、スムーズに効率よく路面切断作業を遂行することが出来る。
【００３２】
図中、他の符号について、５はマンホール蓋２の周縁部に周設されたアーム６、６″の先端に設けられた掛止部であり、マンホール蓋２の切り欠き凹処４に掛止した状態である。
【００３３】
また、アームの数は、限定するものではなく、更に調節部を有するアームの数も限定するものではなく、全てのアームに調節部を設けても良い。
【００３４】
尚、マンホール蓋の切り欠き凹処が二個所の場合は１８０°ピッチで互いに対向した位置にアームがリセットできるように予め円板の所定位置に係合可能に穴等を設けて置けばよい。即ち本発明の切断円芯出し装置の場合は、アームの数は二以上複数に対応出来るように予め穴の位置等を決めて穿設しておくことによって、マンホール蓋の切り欠き凹処の数に適宜対応することが出来る。
【００３５】
尚、本実施例では、マンホール蓋の形状が円形の場合について説明したが、マンホール蓋の形状が四角形等の多角形または異形の形状であっても、適応可能であることは勿論である。
【００３６】
尚また、円板、アーム及びその他の部材の材質は、鉄製が一般的であるが、剛性及び強度が保てれば、限定するものではない。
【００３７】
【発明の効果】
以上説明したように本発明によれば、切断作業の前に工事の対象となるマンホール蓋をわざわざ外す必要がなく、工事期間の短縮及び作業の効率化を可能とする路面用カッターの切断円芯出し装置を提供することが出来る。
【図面の簡単な説明】
【図１】実施例１における芯出し装置の調節部をボルト部とナット部組合わせの構成とした場合の説明図、（ａ）は平面図、（ｂ）は一部破断側面図、（ｃ）は部分拡大側面図
【図２】実施例２における芯出し装置の調節部を長穴と締結部材組合わせの構成とした場合の説明図、（ａ）は部分拡大側面図、（ｂ）はアームの形状を示す斜視図
【図３】本発明に係る切断円芯出し装置使用時の路面用カッターとの相互作用状況を示す説明図、（ａ）は平面図、（ｂ）は模式的概略側面図
【図４】実施例３における芯出し装置の調節部を円板とアームによるリンク機構を応用した場合の説明図、（ａ）は平面図、（ｂ）は部分拡大側面図
【図５】実施例４におけるアームの先端所定位置に路面に打設可能な釘を用いた場合の構成例を示す平面図
【図６】アームの先端に設けた掛止部を幅の比較的狭い鉤状部材とした場合の説明図、（ａ）は平面図、（ｂ）は側面図
【図７】アームの先端に設けた掛止部を幅の比較的広い鉤状部材とした場合の説明図、（ａ）は平面図、（ｂ）は側面図
【図８】アームの先端に設けた掛止部を鍔状凸部を有する円筒形部材とした場合の説明図、（ａ）は平面図、（ｂ）は側面図
【符号の説明】
１　支軸
２　マンホール蓋
３　円板
４　切り欠き凹処
５、１１　掛止部
６、６′、７、１２　アーム
８　調節部
９　締結部材
１０　回り止め固定用ナット部（蝶ナット）
【図１】
2004044127.tif 000003
【図２】
2004044127.tif 000004
【図３】
2004044127.tif 000005
【図４】
2004044127.tif 000006
【図５】
2004044127.tif 000007
【図６】
2004044127.tif 000008
【図７】
2004044127.tif 000009
【図８】
2004044127.tif 000010